【手続補正書】
【提出日】平成30年5月24日(2018.5.24)
【手続補正１】
【補正対象書類名】明細書
【補正対象項目名】００７０
【補正方法】変更
【補正の内容】
【００７０】
【表２】
2017524561.tif 000001
本発明の実施態様の一部を以下の［項目１］−［項目３４］に記載する。
［項目１］
形状適合性剥離性フィルムをベースとした物品であって、
第１主表面及び第２主表面を有する形状適合性フィルムと、
前記形状適合性フィルムの前記第１主表面上の感圧性接着剤層と、
前記形状適合性フィルムの前記第２主表面の少なくとも一部上の不連続パターン保護層と、を含む、物品。
［項目２］
前記パターン保護層が、前記形状適合性フィルムの一部の表面積の１０％〜８５％である平均面積被覆率を有するパターンを含む、項目１に記載の形状適合性剥離性フィルムをベースとした物品。
［項目３］
前記パターン保護層が１回の印刷を介して適用される、項目２に記載の形状適合性剥離性フィルムをベースとした物品。
［項目４］
前記不連続パターン保護層が複数の形状部を含む、項目１に記載の形状適合性剥離性フィルムをベースとした物品。
［項目５］
前記不連続パターン保護層が形状部の部分的に相互連結したネットワークを含む、項目２に記載の形状適合性剥離性フィルムをベースとした物品。
［項目６］
前記不連続パターン保護層がハードコートの形状部を含む、項目１に記載の形状適合性剥離性フィルムをベースとした物品。
［項目７］
前記不連続パターン保護層がハードコートの形状部を含む、項目２に記載の形状適合性剥離性フィルムをベースとした物品。
［項目８］
前記不連続パターン保護層が重なり合う形状部を含む、項目６に記載の形状適合性剥離性フィルムをベースとした物品。
［項目９］
前記形状部が島を含む、項目８に記載の形状適合性剥離性フィルムをベースとした物品。
［項目１０］
前記重なり合う形状部が形状部上に形状部を重ね刷りした結果物である、項目８に記載の形状適合性剥離性フィルムをベースとした物品。
［項目１１］
前記重なり合う形状部が前記形状適合性フィルムの前記第２主表面の一部の表面積の最大１００％まで覆う、項目１０に記載の形状適合性剥離性フィルムをベースとした物品。
［項目１２］
前記重なり合う形状部の少なくともいくつかが、前記形状適合性フィルムの前記第２主表面の一部の形状部の第１セットと、前記形状部の第１セットより上に配設されており、前記形状部の第１セットの少なくともいくつかと部分的に重なり合いかつその上に配設されており、前記形状適合性フィルムの前記第２主表面の一部と部分的に重なり合いかつその上に配設されている形状部の第２セットと、を含む、項目８に記載の形状適合性剥離性フィルムをベースとした物品。
［項目１３］
前記ハードコートの形状部がハードコートの複数層を含む、項目６に記載の形状適合性剥離性フィルムをベースとした物品。
［項目１４］
前記ハードコートの形状部が、第１の印刷工程により適用されるハードコートの形状部の第１セットと、前記ハードコートの形状部の第１セットの少なくともいくつかに少なくとも部分的に重なり合うハードコートの形状部の第２セットと、を含み、前記ハードコートの形状部の第２セットが第２の印刷工程により適用されており、前記第１の印刷工程及び前記第２の印刷工程が時間的に異なっている、項目６に記載の形状適合性剥離性フィルムをベースとした物品。
［項目１５］
前記第１の印刷工程及び前記第２の印刷工程が同じウェブ取り扱い作業の一部である、項目１４に記載の形状適合性剥離性フィルムをベースとした物品。
［項目１６］
前記ハードコートの形状部が印刷方法により適用されている、項目６に記載の形状適合性剥離性フィルムをベースとした物品。
［項目１７］
前記ハードコートの形状部が架橋多官能性アクリレートを含む、項目７に記載の形状適合性剥離性フィルムをベースとした物品。
［項目１８］
前記ハードコートの形状部が不透明である、項目６に記載の形状適合性剥離性フィルムをベースとした物品。
［項目１９］
前記ハードコートの形状部がランダム又は擬似ランダムである、項目６に記載の形状適合性剥離性フィルムをベースとした物品。
［項目２０］
前記形状部の少なくとも一部分がランダム又は擬似ランダムである、項目６に記載の形状適合性剥離性フィルムをベースとした物品。
［項目２１］
前記ハードコートの形状部が光学的に透明である、項目６に記載の形状適合性剥離性フィルムをベースとした物品。
［項目２２］
前記ハードコートの形状部が反射性である、項目６に記載の形状適合性剥離性フィルムをベースとした物品。
［項目２３］
前記不連続パターン保護層が、前記形状適合性フィルムの実質的に第２主表面全体上にある、項目１に記載の形状適合性剥離性フィルムをベースとした物品。
［項目２４］
前記フィルムをベースとした物品が、該物品に付着している基材から破壊することなく除去できる、項目１に記載の形状適合性剥離性フィルムをベースとした物品。
［項目２５］
前記フィルムの少なくとも１．５インチ（３．８センチメートル）が、前記フィルムに付着している基材から、少なくとも１．５インチ（３．８センチメートル）の１８０度剥離を使用して、破壊することなく除去できる、項目１に記載の形状適合性剥離性フィルムをベースとした物品。
［項目２６］
前記ハードコートの形状部が以下の形状部の群、すなわち、四角形、円、多角形から選択される任意の形状部を含む、項目６に記載の形状適合性剥離性フィルムをベースとした物品。
［項目２７］
前記平均面積被覆率が前記形状適合性フィルムの一部の表面積の２５％〜６５％である、項目１に記載の形状適合性剥離性フィルムをベースとした物品。
［項目２８］
平均形状部サイズが１〜１０マイクロメートル厚であり、前記形状部の片側の平均幅が少なくとも１０μｍ〜１ｍｍ未満である、項目６に記載の形状適合性剥離性フィルムをベースとした物品。
［項目２９］
前記物品が車両ラッピングフィルムを含む、項目１に記載の形状適合性剥離性フィルムをベースとした物品。
［項目３０］
前記物品が壁ラッピングフィルムを含む、項目１に記載の形状適合性剥離性フィルムをベースとした物品。
［項目３１］
前記形状適合性フィルムがＰＶＣ系フィルムを含む、項目１に記載の形状適合性剥離性フィルムをベースとした物品。
［項目３２］
前記接着剤層が空気排出を容易にするチャネルを含む、項目１に記載の形状適合性剥離性フィルムをベースとした物品。
［項目３３］
前記フィルムをベースとした物品が実質的に光学的に透明である、項目１に記載の形状適合性剥離性フィルムをベースとした物品。
［項目３４］
少なくとも１つの印刷層を含む、追加のフィルムをベースとした層を更に含む、項目３３に記載の形状適合性剥離性フィルムをベースとした物品。
【手続補正２】
【補正対象書類名】特許請求の範囲
【補正対象項目名】全文
【補正方法】変更
【補正の内容】
【特許請求の範囲】
【請求項１】
形状適合性剥離性フィルムをベースとした物品であって、
第１主表面及び第２主表面を有する形状適合性フィルムと、
前記形状適合性フィルムの前記第１主表面上の感圧性接着剤層と、
前記形状適合性フィルムの前記第２主表面の少なくとも一部上の不連続パターン保護層と、を含む、物品。
【請求項２】
前記パターン保護層が、前記形状適合性フィルムの一部の表面積の１０％〜８５％である平均面積被覆率を有するパターンを含む、請求項１に記載の形状適合性剥離性フィルムをベースとした物品。
【請求項３】
前記不連続パターン保護層が複数の形状部を含む、請求項１に記載の形状適合性剥離性フィルムをベースとした物品。
【請求項４】
前記不連続パターン保護層がハードコートの形状部を含む、請求項１に記載の形状適合性剥離性フィルムをベースとした物品。
【請求項５】
前記ハードコートの形状部が、第１の印刷工程により適用されるハードコートの形状部の第１セットと、前記ハードコートの形状部の第１セットの少なくともいくつかに少なくとも部分的に重なり合うハードコートの形状部の第２セットと、を含み、前記ハードコートの形状部の第２セットが第２の印刷工程により適用されており、前記第１の印刷工程及び前記第２の印刷工程が時間的に異なっている、請求項４に記載の形状適合性剥離性フィルムをベースとした物品。
【請求項６】
前記第１の印刷工程及び前記第２の印刷工程が同じウェブ取り扱い作業の一部である、請求項５に記載の形状適合性剥離性フィルムをベースとした物品。
【請求項７】
前記ハードコートの形状部が印刷方法により適用されている、請求項４に記載の形状適合性剥離性フィルムをベースとした物品。
【請求項８】
前記ハードコートの形状部が架橋多官能性アクリレートを含む、請求項４に記載の形状適合性剥離性フィルムをベースとした物品。
【請求項９】
前記ハードコートの形状部が、不透明、反射性、又は光学的に透明のうちの少なくとも１つである、請求項６に記載の形状適合性剥離性フィルムをベースとした物品。
【請求項１０】
前記ハードコートの形状部がランダム又は擬似ランダムである、請求項６に記載の形状適合性剥離性フィルムをベースとした物品。
【請求項１１】
前記不連続パターン保護層が、前記形状適合性フィルムの実質的に第２主表面全体上にある、請求項１に記載の形状適合性剥離性フィルムをベースとした物品。
【請求項１２】
前記フィルムをベースとした物品が、該物品に付着している基材から破壊することなく除去できる、請求項１に記載の形状適合性剥離性フィルムをベースとした物品。
【請求項１３】
前記フィルムの少なくとも１．５インチが、前記フィルムに付着している基材から、少なくとも１．５インチの１８０度剥離を使用して、破壊することなく除去できる、請求項１に記載の形状適合性剥離性フィルムをベースとした物品。
【請求項１４】
前記ハードコートの形状部が以下の形状部の群、すなわち、四角形、円、多角形から選択される形状部を含む、請求項６に記載の形状適合性剥離性フィルムをベースとした物品。
【請求項１５】
前記平均面積被覆率が前記形状適合性フィルムの一部の表面積の２５％〜６５％である、請求項１に記載の形状適合性剥離性フィルムをベースとした物品。
【請求項１６】
平均形状部サイズが１〜１０マイクロメートル厚であり、前記形状部の片側の平均幅が少なくとも１０μｍ〜１ｍｍ未満である、請求項６に記載の形状適合性剥離性フィルムをベースとした物品。
【請求項１７】
前記物品が、車両ラッピングフィルム又は壁ラッピングフィルムのうちの少なくとも１つを含む、請求項１に記載の形状適合性剥離性フィルムをベースとした物品。
【請求項１８】
前記接着剤層が空気排出を容易にするチャネルを含む、請求項１に記載の形状適合性剥離性フィルムをベースとした物品。
【請求項１９】
前記フィルムをベースとした物品が実質的に光学的に透明である、請求項１に記載の形状適合性剥離性フィルムをベースとした物品。
【請求項２０】
少なくとも１つの印刷層を含む、追加のフィルムをベースとした層を更に含む、請求項１９に記載の形状適合性剥離性フィルムをベースとした物品。